(57)【要約】【課題】  長い物体を種々の態様及び容量で保持することが可能な長物保持装置の提供。【解決手段】  とりわけ電気伝送線及び／又は流体導管等の長物の保持装置であって、１つの基底壁（２）及び対向する２つの縁部壁（３、４）を有する受容要素（１）と、縁部蝶番要素（１５）を介して枢動可能に前記受容要素（１）に配された蓋要素（１６）とを有し、前記蓋要素（１６）は、前記縁部蝶番要素（１５）に対向する係止装置（２３、２４、２５、２６）を介して前記受容要素（１）に結合可能であり、前記蓋要素（１６）は、少なくとも３つの部分蓋要素（１７、１９、２１）を含み、隣り合う部分蓋要素（１７、１９、２１）間には、それぞれ１つの中間蝶番要素（１８、２０）が配され、前記係止装置（２３、２４、２５、２６）は、前記中間蝶番要素（１８、２０）の数に応じた数の閉蓋状態を規定し、前記部分蓋要素（１７、１９、２１）は、前記閉蓋状態の各々において前記基底壁（２）からそれぞれ異なる距離の位置に配置されるように構成された保持装置。【選択図】  図１
2007529695.tif 000002
【特許請求の範囲】
【請求項１】
とりわけ電気伝送線及び／又は流体導管等の長物の保持装置であって、
１つの基底壁（２）及び対向する２つの縁部壁（３、４）を有する受容要素（１）と、縁部蝶番要素（１５）を介して枢動可能に前記受容要素（１）に配された蓋要素（１６）とを有し、
前記蓋要素（１６）は、前記縁部蝶番要素（１５）に対向する係止装置（２３、２４、２５、２６）を介して前記受容要素（１）に結合可能であり、
前記蓋要素（１６）は、少なくとも３つの部分蓋要素（１７、１９、２１）を含み、
隣り合う部分蓋要素（１７、１９、２１）間には、それぞれ１つの中間蝶番要素（１８、２０）が配され、
前記係止装置（２３、２４、２５、２６）は、前記中間蝶番要素（１８、２０）の数に応じた数の閉蓋状態を規定し、
前記部分蓋要素（１７、１９、２１）は、前記閉蓋状態の各々において前記基底壁（２）からそれぞれ異なる距離の位置に配置される
ように構成された保持装置。
【請求項２】
前記部分蓋要素（１７、１９、２１）には、閉蓋状態において隣り合う２つの部分蓋要素（１７、１９、２１）の互いに対する相対的な運動を阻止する阻止装置が配されること
を特徴とする請求項１に記載の保持装置。
【請求項３】
前記固定装置は、複数のリブ要素（２９）を有し、該複数のリブ要素（２９）は、前記部分蓋要素（１７、１９、２１）の各々に配されかつ閉蓋状態においてその都度向い合う２つのリブ要素（２９）の端面（３０）同士が互いに当接するように配されること
を特徴とする請求項２に記載の保持装置。
【請求項４】
前記縁部蝶番要素（１５）から最も離隔して位置する部分蓋要素（２１）には、当該部分蓋要素（２１）に対し所定の角度で、好ましくは垂直に配向された側縁部分（２２）が形成され、該側縁部分（２２）には、前記係止装置の係合要素（２３、２４）（複数）が形成され、該係合要素（２３、２４）（複数）は、一方の縁部壁（３）に形成された前記係止装置の係合対要素（２５、２６）（複数）と協働するよう構成されること
を特徴とする請求項１〜３の何れか一項に記載の保持装置。
【請求項５】
前記係合対要素（２５、２６）（複数）は、前記縁部壁（３）の端面側の縁部領域と基底壁側の縁部領域とに形成されること
を特徴とする請求項４に記載の保持装置。
【発明の詳細な説明】
【技術分野】
【０００１】
本発明は、とりわけ電気伝送線（導電線）及び／又は流体導管等の長い物体（長物ないし長尺物）の保持装置に関する。
【背景技術】
【０００２】
１つの基底壁及び対向する２つの縁部壁を有する受容部材と、該受容部材に枢動可能に配された蓋部材とを通常有するこの種の装置は、例えば、自動車構造において導電線を所定の態様で配線するために使用される。その際、導電線は、受容部材の中に挿通され、蓋部材を閉じることにより、保持装置に確実に保持される。
【発明の開示】
【発明が解決しようとする課題】
【０００３】
このような既知の装置によっても、長物を確実に保持し案内することは可能ではあるが、通常は、特定の１つの囲繞（挿通保持）環境（形態）（Einbauumgebung）のためにのみ設計（最適化）されており、それ以外の囲繞（挿通保持）環境（形態）にはそもそも使用できないか、可能であっても不所望の不利益を伴うことが多い。
【０００４】
それゆえ、本発明の課題は、囲繞（挿通保持）可能性（形態）に種々のバリエーションを有するような、長物保持装置を提供することである。
【課題を解決するための手段】
【０００５】
上記の課題は、本発明により、とりわけ電気伝送線及び／又は流体導管等の長物の保持装置であって、１つの基底壁及び対向する２つの縁部壁を有する受容要素と、縁部蝶番要素を介して枢動可能に前記受容要素に配された蓋要素とを有し、前記蓋要素は、前記縁部蝶番要素に対向する係止装置を介して前記受容要素に結合可能であり、前記蓋要素は、少なくとも３つの部分蓋要素を含み、隣り合う部分蓋要素間には、それぞれ１つの中間蝶番要素が配され、前記係止装置は、前記中間蝶番要素の数に応じた数の閉蓋状態を規定（生成）し、前記部分蓋要素は、前記閉蓋状態の各々において前記基底壁からそれぞれ異なる距離の位置に配置されるように構成された保持装置によって解決される。
【発明を実施するための最良の形態】
【０００６】
本発明の保持装置では蓋要素が複数の部分蓋要素を有し、これら部分蓋要素が中間蝶番要素を介して関節的に（枢動可能に）互いに結合されること、及び係止装置が中間蝶番要素の数に応じた数の閉蓋状態を規定（生成）し、蓋部材が閉蓋状態の各々において基底壁からそれぞれ異なる距離（高さ）の位置に配置されることによって、本発明の保持装置は、導管等の複数の異なる保持容量及び／又は複数の異なる囲繞高さを必要とする複数の異なる囲繞（挿通保持）環境（形態）（Einbauumgebung）で使用可能である。
【０００７】
本発明の装置の有利な一展開形態では、部分蓋要素（群）には、閉蓋状態において隣り合う２つの部分蓋要素の互いに対する相対運動を阻止する阻止（ストッパないし安定化）装置が配される。このため、蓋要素は、基底壁の方向に作用する荷重に対して安定化される。
【０００８】
上記展開形態の有利な一実施形態では、阻止（ストッパないし安定化）装置は、複数のリブ要素を有する。該複数のリブ要素は、部分蓋要素の各々に配されかつ閉蓋状態においてその都度向い合う２つのリブ要素の端面同士が互いに当接するように配される（構成される）。この実施形態は、極めて簡単に製造できるので有利である。
【０００９】
本発明の装置の更に有利な一展開形態では、縁部蝶番要素から最も離隔して位置する部分蓋要素には、当該部分蓋要素に対し所定の角度で、好ましくは垂直に配向された側縁部分が形成され、該側縁部分には、係止装置の係合要素（複数）が形成され、該係合要素（複数）は、一方の縁部壁に形成された係止装置の係合対要素（複数）と協働するよう構成される。このため、受容要素と蓋要素との間に簡単に形成可能でかつ安定的な（堅固な）結合が達成される。
【００１０】
上記更に有利な一展開形態の一実施形態では、係合対要素（複数）は、縁部壁の端面側の縁部領域と基底壁側の縁部領域とに形成される。このため、この２つの閉蓋状態において、最大又は最小の構造高さないし保持容量が規定（生成）される。
【００１１】
以下に、本発明の好ましい一実施例を図面を参照して説明するが、この実施例から、更なる展開形態及び更なる利点を見いだすことができる。
【実施例】
【００１２】
図１は、ケーブルチャネル（ガイド）として構成されたブリッジ状の受容要素１を有する本発明の装置の一実施例を斜視図で示す。この受容要素１は、この実施例では矩形状に構成された平坦な基底壁２を有する。基底壁２の外側の２つの縁部には、第１の縁部壁３と第２の縁部壁４とが形成されている。これら縁部壁３、４は基底壁２に対してほぼ垂直に配向されかつ基底壁２の長手方向に延在している。
【００１３】
基底壁２の２つの横断側部（横断方向に延在する端部）には、基底壁２に対しほぼ垂直に同じ方向に延在する平坦な２つの（端部）側壁５、６が形成されている。第１の縁部壁３は、（端部）側壁５、６のそれぞれの外側の縁部に沿って延在している。（端部）側壁５、６の領域にある第１の縁部壁３の部分には、蝶番を介して、枢動可能な側部カバー７、８が配設されている。これら側部カバー７、８は、そのより大きい方の平坦な部分に対し凡そ９０°湾曲されてなる自由端に、それぞれ、係合タング９、１０を有する。第１の縁部壁３の向かい側には、（端部）側壁５、６のそれぞれの他方の縁部に、当該（端部）側壁５、６に対し垂直に配向されたウェブ（Stege）１１、１２が形成されている。これらウェブ１１、１２は、係合タング９、１０が嵌合可能なタング受容装置１３、１４を有する。
【００１４】
第２の縁部壁４には、基底壁２の長さの大部分にわたって延在する縁部蝶番要素１５を介して、受容要素１に対して枢動可能に構成された蓋要素１６が形成されている。蓋要素１６は、図示の実施例では、縁部蝶番要素１５に結合された第１の部分蓋要素１７と、第１の中間蝶番要素１８を介して第１の部分蓋要素１７に結合された第２の部分蓋要素１９と、第２の中間蝶番要素２０を介して第２の部分蓋要素１９に結合された第３の部分蓋要素２１とを有する。縁部蝶番要素１５及び中間蝶番要素１８、２０は、比較的薄い横断面を有するいわゆるフィルム（薄肉）ヒンジ（部）（Filmscharniere）として構成されている。
【００１５】
第３の部分蓋要素２１には、第２の部分蓋要素１９（のある側）と反対側の長手側部に対しほぼ垂直に配向された側縁部分２２が形成されている。図示の実施例では、第３の部分蓋要素２１から離隔した側縁部分２２の端部側に、係止装置の第１の係合要素２３及び第２の係合要素２４が形成されている。
【００１６】
第１の縁部壁３には、基底壁２の長手方向に、係合要素２３及び２４の高さ（ないし位置）に（相応して）それぞれ、係止装置の第１の係合対要素２５及び第２の係合対要素２６が形成されている。係合対要素２５、２６は、それぞれ、第２の縁部壁４に背向する外側のロック受容部２７と、第２の縁部壁４に対向する側の支持リブ（Stuetzrippe）２８を有する。
【００１７】
図１から明らかなとおり、受容要素１には、縁部壁３、４ないしウェブ１１、１２の間に、挿入（載置）方向に例えば図１に示した状態では紙面の上方から、ケーブルその他の長物（図１に不図示）を挿入（載置）することができ、更に、側部カバー７、８と、以下に詳細に説明する蓋要素１６とを閉じることにより、当該長物が保持される。
【００１８】
図２は、長物の挿入方向と反対側から見た図１の実施例を斜視図で示す。図２から明らかなとおり、部分蓋要素１７、１９、２１の外側には、中間蝶番要素１８、２０に対しほぼ直交方向に延在する阻止装置の複数のリブ要素２９が形成され、ある１つの部分蓋要素１７、１９、２１の１つのリブ要素２９の各々が、隣接する１つの部分蓋要素１７、１９、２１の対向する１つのリブ要素２９と同一曲線ないし直線上に並ぶように構成されている。
【００１９】
図３は、蓋要素１６を開いた状態で受容要素１と蓋要素１６を横断方向の断面で示した図１及び図２の実施例（の側面図）を示す。図３から明らかなとおり、部分蓋要素１７、１９、２１が互いに対し所定の角度をなした（折り曲げられた）状態（空間的位置関係）にある場合、互いに向い合うリブ要素２９の互いに当接しあうべき端面３０同士は互いに間隔を空けた状態で位置するのに対し、部分蓋要素１７、１９、２１が僅かに折り曲げられたないし平坦な状態（空間的位置関係）に配されている場合、当該端面３０同士は互いに当接するため、リブ要素２９の素材の性質の枠内において、隣接する部分蓋要素１７、１９、２１間の更なる相対的枢動（旋回運動）は少なくとも阻止（抑制）され、更にはほぼ完全に阻止（ブロック）される。
【００２０】
端面３０がリブ要素２９の長手方向に対し垂直に配向されている場合は、１８０°の角度で上記阻止作用が生じるのに対し、（当接すべき）端面３０同士が、リブ要素２９の長手方向に対し互いに反対側に傾斜されるよう配向されている場合は、当該傾斜の方向に応じて、１８０°の角度に到達する前に又は１８０°の角度を超えたときに上記阻止作用が生じる。
【００２１】
更に、図３から明らかなとおり、同一に構成された係合要素２３及び２４は、前方に突出する係合ノーズ３１と、受溝３２とを有する。
【００２２】
図４は、図３に示した実施例において蓋要素１６が第１の閉蓋状態にある場合を示す。この第１の閉蓋状態では、縁部壁３の上側の縁部が受溝３２に嵌合し、係合ノーズ３１が外側のロック受容部２７と後部（ないし背部）で係合している。図４から明らかなとおり、第１の部分蓋要素１７及び第２の部分蓋要素１９の相応に調整された幅並びにリブ要素２９の長手方向に対する端面３０のほぼ垂直な配向に基づき、第３の部分蓋要素２１が基底壁２から最も高く迫り上げられて離隔されている第１の閉蓋状態では、第１の部分蓋要素１７と第２の部分蓋要素１９は、実質的に同一平面上に位置し、かつこの配向状態において複数のリブ要素２９によって形成される阻止（ストッパ）装置によって基底壁２の方向に作用する力に抗する能力を有する。
【００２３】
図５は、図３に示した実施例において蓋要素１６が第２の閉蓋状態にある場合を示す。この第２の閉蓋状態では、支持リブ２８が受溝３２に嵌合し、係合ノーズ３１は係合対要素２５、２６の外側のロック受容部２７の向かい側に位置する内側のロック受容部３３と後部（ないし背部）で係合している。図５から明らかなとおり、第２の部分蓋要素１９及び第３の部分蓋要素２１の相応に調整された幅並びにリブ要素２９の長手方向に対する端面３０のほぼ垂直な配向に基づき、第３の部分蓋要素２１が基底壁２の最も近くに隣接するよう（基底壁２に対する第３の部分蓋要素２１の高さが最も低くなるよう）配さている第２の閉蓋状態では、第２の部分蓋要素１９と第３の部分蓋要素２１は、実質的に同一平面上に位置し、かつこの配向状態において複数のリブ要素２９によって形成される阻止（ストッパ）装置によって基底壁２の方向に作用する力に抗する能力を同様に有する。
【００２４】
従って、図４及び図５から明らかなとおり、この実施例では、より大きな構造高さ及びより大きな保持容量を有する第１の閉蓋状態又はより小さな構造高さ及びより小さな保持容量を有する第２の閉蓋状態を任意に選択することができる。
【図面の簡単な説明】
【００２５】
【図１】受容要素の基底壁に物体を挿入（載置）する方向に見た、蓋要素が開かれている本発明の装置の一例の斜視図。
【図２】物体の挿入（載置）方向の反対側から見た、図１の実施例の他の斜視図。
【図３】蓋要素を開いた状態で受容要素と蓋要素を横方向の断面で示した図１及び図２の実施例（の側面図）。
【図４】図３に示した状態から蓋要素を第１の閉蓋状態にセットした一例（の側面図）。
【図５】図３に示した状態から蓋要素を第２の閉蓋状態にセットした一例（の側面図）。
【図１】
2007529695.tif 000003
【図２】
2007529695.tif 000004
【図３】
2007529695.tif 000005
【図４】
2007529695.tif 000006
【図５】
2007529695.tif 000007
【手続補正書】
【提出日】平成18年11月14日(2006.11.14)
【手続補正１】
【補正対象書類名】明細書
【補正対象項目名】全文
【補正方法】変更
【補正の内容】
【発明の詳細な説明】
【技術分野】
【０００１】
本発明は、とりわけ電気伝送線（導電線）及び／又は流体導管等の長い物体（長物）の保持装置に関する。
【背景技術】
【０００２】
１つの基底壁及び対向する２つの縁部壁を有する受容部材と、該受容部材に枢動可能に配された蓋部材とを通常有するこの種の装置は、例えば、自動車構造において導電線を所定の態様で配線するために使用される。その際、導電線は、受容部材の中に挿通され、蓋部材を閉じることにより、保持装置に確実に保持される。
【０００３】
【特許文献１】ＥＰ １ １６２ ７０９ Ａ
【特許文献２】ＵＳ ６ １６４ ６０３ Ａ
【特許文献３】ＵＳ ３ ０９０ ８２６ Ａ
【発明の開示】
【発明が解決しようとする課題】
【０００４】
このような既知の装置によっても、長物を確実に保持し案内することは可能ではあるが、通常は、特定の１つの囲繞（挿通保持）環境（形態）（Einbauumgebung）のためにのみ設計（最適化）されており、それ以外の囲繞（挿通保持）環境（形態）にはそもそも使用できないか、可能であっても不所望の不利益を伴うことが多い。
【０００５】
それゆえ、本発明の課題は、囲繞（挿通保持）可能性（形態）に種々のバリエーションを有するような、長物保持装置を提供することである。
【課題を解決するための手段】
【０００６】
上記の課題は、本発明により、とりわけ電気伝送線及び／又は流体導管等の長物の保持装置であって、１つの基底壁及び対向する２つの縁部壁を有する受容要素と、縁部蝶番要素を介して枢動可能に前記受容要素に配された蓋要素とを有し、前記蓋要素は、前記縁部蝶番要素に対向する係止装置を介して前記受容要素に結合可能であり、前記蓋要素は、少なくとも３つの部分蓋要素を含み、隣り合う部分蓋要素間には、それぞれ１つの中間蝶番要素が配され、前記係止装置は、前記中間蝶番要素の数に応じた数の閉蓋状態を規定（生成）し、前記部分蓋要素は、前記閉蓋状態の各々において前記基底壁からそれぞれ異なる距離の位置に配置されるように構成された保持装置によって解決される。
【発明を実施するための最良の形態】
【０００７】
本発明の保持装置では蓋要素が複数の部分蓋要素を有し、これら部分蓋要素が中間蝶番要素を介して関節的に（枢動可能に）互いに結合されること、及び係止装置が中間蝶番要素の数に応じた数の閉蓋状態を規定（生成）し、蓋部材が閉蓋状態の各々において基底壁からそれぞれ異なる距離（高さ）の位置に配置されることによって、本発明の保持装置は、導管等の複数の異なる保持容量及び／又は複数の異なる囲繞高さを必要とする複数の異なる囲繞（挿通保持）環境（形態）（Einbauumgebung）で使用可能である。
【０００８】
本発明の装置の有利な一展開形態では、部分蓋要素（群）には、閉蓋状態において隣り合う２つの部分蓋要素の互いに対する相対運動を阻止する固定（制動ないし安定化）装置が配される。このため、蓋要素は、基底壁の方向に作用する荷重に対して安定化される。
【０００９】
上記展開形態の有利な一実施形態では、固定（制動ないし安定化）装置は、複数のリブ要素を有する。該複数のリブ要素は、部分蓋要素の各々に配されかつ閉蓋状態においてその都度向い合う２つのリブ要素の端面同士が互いに当接するように配される（構成される）。この実施形態は、極めて簡単に製造できるので有利である。
【００１０】
本発明の装置の更に有利な一展開形態では、縁部蝶番要素から最も離隔して位置する部分蓋要素には、当該部分蓋要素に対し所定の角度で、好ましくは垂直に配向された側縁部分が形成され、該側縁部分には、係止装置の係合要素（複数）が形成され、該係合要素（複数）は、一方の縁部壁に形成された係止装置の係合対要素（複数）と協働するよう構成される。このため、受容要素と蓋要素との間に簡単に形成可能でかつ安定的な（堅固な）結合が達成される。
【００１１】
上記更に有利な一展開形態の一実施形態では、係合対要素（複数）は、縁部壁の端面側の縁部領域と基底壁側の縁部領域とに形成される。このため、この２つの閉蓋状態において、最大又は最小の構造高さないし保持容量が規定（生成）される。
【００１２】
以下に、本発明の好ましい一実施例を図面を参照して説明するが、この実施例から、更なる展開形態及び更なる利点を見いだすことができる。なお、特許請求の範囲に記載された図面参照符号は発明の理解の容易化のためのものに過ぎず、本発明を図示の態様に限定することを意図したものではない。
【実施例】
【００１３】
図１は、ケーブルチャネル（ガイド）として構成されたブリッジ状の受容要素１を有する本発明の装置の一実施例を斜視図で示す。この受容要素１は、この実施例では矩形状に構成された平坦な基底壁２を有する。基底壁２の外側の２つの縁部には、第１の縁部壁３と第２の縁部壁４とが形成されている。これら縁部壁３、４は基底壁２に対してほぼ垂直に配向されかつ基底壁２の長手方向に延在している。
【００１４】
基底壁２の２つの横断側（横断方向に延在する端部）には、基底壁２に対しほぼ垂直に同じ方向に延在する平坦な２つの側壁５、６が形成されている。第１の縁部壁３は、側壁５、６のそれぞれの外側の縁部に沿って延在している。側壁５、６の領域にある第１の縁部壁３の部分には、蝶番を介して、枢動可能な側部カバー７、８が配設されている。これら側部カバー７、８は、そのより大きい方の平坦な部分に対し凡そ９０°湾曲されてなる自由端に、それぞれ、係合タング９、１０を有する。第１の縁部壁３の向かい側には、側壁５、６のそれぞれの他方の縁部に、当該側壁５、６に対し垂直に配向されたウェブ（Stege）１１、１２が形成されている。これらウェブ１１、１２は、係合タング９、１０が嵌合可能なタング受容装置１３、１４を有する。
【００１５】
第２の縁部壁４には、基底壁２の長さの大部分にわたって延在する縁部蝶番要素１５を介して、受容要素１に対して枢動可能に構成された蓋要素１６が形成されている。蓋要素１６は、図示の実施例では、縁部蝶番要素１５に結合された第１の部分蓋要素１７と、第１の中間蝶番要素１８を介して第１の部分蓋要素１７に結合された第２の部分蓋要素１９と、第２の中間蝶番要素２０を介して第２の部分蓋要素１９に結合された第３の部分蓋要素２１とを有する。縁部蝶番要素１５及び中間蝶番要素１８、２０は、比較的薄い横断面を有するいわゆるフィルム（薄肉）ヒンジ（部）（Filmscharniere）として構成されている。
【００１６】
第３の部分蓋要素２１には、第２の部分蓋要素１９（のある側）と反対側の長手側部に対しほぼ垂直に配向された側縁部分２２が形成されている。図示の実施例では、第３の部分蓋要素２１から離隔した側縁部分２２の端部側に、係止装置の第１の係合要素２３及び第２の係合要素２４が形成されている。
【００１７】
第１の縁部壁３には、基底壁２の長手方向に、係合要素２３及び２４の高さ（ないし位置）に（相応して）それぞれ、係止装置の第１の係合対要素２５及び第２の係合対要素２６が形成されている。係合対要素２５、２６は、それぞれ、第２の縁部壁４に背向する外側のロック受容部２７と、第２の縁部壁４に対向する側の支持リブ（Stuetzrippe）２８を有する。
【００１８】
図１から明らかなとおり、受容要素１には、縁部壁３、４ないしウェブ１１、１２の間に、挿入（載置）方向に例えば図１に示した状態では紙面の上方から、ケーブルその他の長物（図１に不図示）を挿入（載置）することができ、更に、側部カバー７、８と、以下に詳細に説明する蓋要素１６とを閉じることにより、当該長物が保持される。
【００１９】
図２は、長物の挿入方向と反対側から見た図１の実施例を斜視図で示す。図２から明らかなとおり、部分蓋要素１７、１９、２１の外側には、中間蝶番要素１８、２０に対しほぼ直交方向に延在する固定装置の複数のリブ要素２９が形成され、ある１つの部分蓋要素１７、１９、２１の１つのリブ要素２９の各々が、隣接する１つの部分蓋要素１７、１９、２１の対向する１つのリブ要素２９と同一曲線ないし直線上に並ぶように構成されている。
【００２０】
図３は、蓋要素１６を開いた状態で受容要素１と蓋要素１６を横方向の断面で示した図１及び図２の実施例（の側面図）を示す。図３から明らかなとおり、部分蓋要素１７、１９、２１が互いに対し所定の角度をなした（折り曲げられた）状態（空間的位置関係）にある場合、互いに向い合うリブ要素２９の互いに当接しあうべき端面３０同士は互いに間隔を空けた状態で位置するのに対し、部分蓋要素１７、１９、２１が僅かに折り曲げられたないし平坦な状態（空間的位置関係）に配されている場合、当該端面３０同士は互いに当接するため、リブ要素２９の素材の性質の枠内において、隣接する部分蓋要素１７、１９、２１間の更なる相対的枢動（旋回運動）は少なくとも制動（抑制）され、更にはほぼ完全に阻止される。
【００２１】
端面３０がリブ要素２９の長手方向に対し垂直に配向されている場合は、１８０°の角度で上記制動作用が生じるのに対し、（当接すべき）端面３０同士が、リブ要素２９の長手方向に対し互いに反対側に傾斜されるよう配向されている場合は、当該傾斜の方向に応じて、１８０°の角度に到達する前に又は１８０°の角度を超えたときに上記制動作用が生じる。
【００２２】
更に、図３から明らかなとおり、同一に構成された係合要素２３及び２４は、前方に突出する係合ノーズ３１と、受溝３２とを有する。
【００２３】
図４は、図３に示した実施例において蓋要素１６が第１の閉蓋状態にある場合を示す。この第１の閉蓋状態では、縁部壁３の上側の縁部が受溝３２に嵌合し、係合ノーズ３１が外側のロック受容部２７と後部で係合している。図４から明らかなとおり、第１の部分蓋要素１７及び第２の部分蓋要素１９の相応に調整された幅並びにリブ要素２９の長手方向に対する端面３０のほぼ垂直な配向に基づき、第３の部分蓋要素２１が基底壁２から最も高く迫り上げられて離隔されている第１の閉蓋状態では、第１の部分蓋要素１７と第２の部分蓋要素１９は、実質的に同一平面上に位置し、かつこの配向状態において複数のリブ要素２９によって形成される固定（制動）装置によって基底壁２の方向に作用する力に抗する能力を有する。
【００２４】
図４は、図３に示した実施例において蓋要素１６が第２の閉蓋状態にある場合を示す。この第２の閉蓋状態では、支持リブ２８が受溝３２に嵌合し、係合ノーズ３１は係合対要素２５、２６の外側のロック受容部２７の向かい側に位置する内側のロック受容部３３と後部で係合している。図５から明らかなとおり、第２の部分蓋要素１９及び第３の部分蓋要素２１の相応に調整された幅並びにリブ要素２９の長手方向に対する端面３０のほぼ垂直な配向に基づき、第３の部分蓋要素２１が基底壁２の最も近くに隣接するよう（基底壁２に対する第３の部分蓋要素２１の高さが最も低くなるよう）配さている第２の閉蓋状態では、第２の部分蓋要素１９と第３の部分蓋要素２１は、実質的に同一平面上に位置し、かつこの配向状態において複数のリブ要素２９によって形成される固定（制動）装置によって基底壁２の方向に作用する力に抗する能力を同様に有する。
【００２５】
従って、図４及び図５から明らかなとおり、この実施例では、より大きな構造高さ及びより大きな保持容量を有する第１の閉蓋状態又はより小さな構造高さ及びより小さな保持容量を有する第２の閉蓋状態を任意に選択することができる。
【図面の簡単な説明】
【００２６】
【図１】受容要素の基底壁に物体を挿入（載置）する方向に見た、蓋要素が開かれている本発明の装置の一例の斜視図。
【図２】物体の挿入（載置）方向の反対側から見た、図１の実施例の他の斜視図。
【図３】蓋要素を開いた状態で受容要素と蓋要素を横方向の断面で示した図１及び図２の実施例（の側面図）。
【図４】図３に示した状態から蓋要素を第１の閉蓋状態にセットした一例（の側面図）。
【図５】図３に示した状態から蓋要素を第２の閉蓋状態にセットした一例（の側面図）。
【国際調査報告】
2007529695.tif 000008
2007529695.tif 000009
2007529695.tif 000010
2007529695.tif 000011